(57)【特許請求の範囲】
【請求項１】
本体と、該本体に装着され、封鎖板により圧縮流体を密封してなる圧縮流体ボンベと、圧縮流体を浮き袋に導入するための流体通路と、手動にて前記封鎖板を突き破ることができるように、前記本体内に設けられた撃針と、該撃針を取り付けた台座と、前記流体通路に連通し、該台座を側壁に密着して手動自在に収納する台座室と、該台座室に連通し、火薬カートリッジを脱着自在に装着しうる火薬カートリッジ室と、前記本体に脱着自在に取り付けられ、前記火薬カートリッジに電気的に接続した着水検出手段と、外気と台座室とに連通する小孔と、からなり、前記小孔は前記台座に取り付けられた撃針が前記封鎖板を突き破る前の状態の位置にあるときは前記台座室と外気とに連通し、前記台座が手動又は火薬の爆発により台座室内を摺動して撃針が前記封鎖板を突き破った後には台座により封鎖される位置に設け、前記小孔を封鎖する位置に前記台座を保持するための係止部材を設けてなる圧縮流体導入装置及び、折り畳んだ浮き袋を包装保持する留め具に係合させるための留め棒と、該留め棒を射出可能に装着する留め棒装着体と、火薬を内蔵し、該留め棒装置内に脱着自在に取り付けた火薬カートリッジと、該火薬カートリッジと前記着水検出手段とを接続する導線とを備えた浮き袋開放装置とを具備し、
前記着水検出手段が、直流電源が接続される正側電源端子及び負側電源端子を有し、第１の検知電極が負側電源端子に接続され、第２の検知電極がこれらの一対の検知電極間に液体が介在したときにこの間に流れる電流を検知する着水判別回路の第１の出力端子に接続され、着水判別回路からの点火信号を受けて動作される点火手段が前記着水判別回路の第１、第２の出力端子間に接続されており、上記正側電源端子と前記着水判別回路の第２の出力端子を結ぶバイパスライン上に、ダイオードからなるスイッチ手段が設けられ、直流電源に対して逆起電力となる極性で、かつ電圧値が直流電源電圧を超えるチェック用信号が上記一対の検知電極を介して入力されたときに前記スイッチ手段が閉じ、バイパスラインを閉成するようにしたことを特徴とする浮き袋膨張装置。
【発明の詳細な説明】
【０００１】
【発明の属する技術分野】
本発明は浮き袋自動膨張装置、詳細には浮き袋自動膨張装置における点火装置の断線の有無を簡単に検査できる検査機構を備えた浮き袋自動膨張装置。
【０００２】
【従来の技術】
海難事故の際に、着水を検知して自動的に浮き袋を膨張させる浮き袋自動膨張装置として海水電池を使用した浮袋自動膨張装置が知られている。
【０００３】
しかし、従来の圧縮流体導入装置において使用される海水電池は寿命が１年程度と短いことから、浮き袋自動膨張装置を使用していなくとも毎年海水電池を交換する必要があった。そのため、海水電池の交換の手間がかかると共に、交換費用がかかるので不経済である。さらに、海水電池は、海水の電気伝導性が高いことを利用して電池の電解液として使用し、着水の検出及び火薬の点火を行っているが、電気伝導性の低い真水においては、着水の検出及び火薬の点火が確実に行われない場合がある。
【０００４】
したがって、従来の浮き袋自動膨張装置は池や川などの淡水系における水難事故用には使用することができないという問題があった。
【０００５】
【発明が解決しようとする課題】
そこで、本発明は、電池の煩雑な交換が不要な着水検出手段を備えた浮き袋自動膨張装置を提供することを目的とする。
【０００６】
また、本発明は、海水中だけでなく、淡水中においても着水検出することができる着水検出手段を備えた浮き袋自動膨張装置を提供することを目的とする。
【０００７】
【課題を解決するための手段】
上記課題を解決するための本発明の手段は、本体と、該本体に装着され、封鎖板により圧縮流体を密封してなる圧縮流体ボンベと、圧縮流体を浮き袋に導入するための流体通路と、手動にて前記封鎖板を突き破ることができるように、前記本体内に設けられた撃針と、該撃針を取り付けた台座と、前記流体通路に連通し、該台座を側壁に密着して手動自在に収納する台座室と、該台座室に連通し、火薬カートリッジを脱着自在に装着しうる火薬カートリッジ室と、前記本体に脱着自在に取り付けられ、前記火薬カートリッジに電気的に接続した着水検出手段と、外気と台座室とに連通する小孔と、からなり、前記小孔は前記台座に取り付けられた撃針が前記封鎖板を突き破る前の状態の位置にあるときは前記台座室と外気とに連通し、前記台座が手動又は火薬の爆発により台座室内を摺動して撃針が前記封鎖板を突き破った後には台座により封鎖される位置に設け、前記小孔を封鎖する位置に前記台座を保持するための係止部材を設けてなる圧縮流体導入装置及び、折り畳んだ浮き袋を包装保持する留め具に係合させるための留め棒と、該留め棒を射出可能に装着する留め棒装着体と、火薬を内蔵し、該留め棒装置内に脱着自在に取り付けた火薬カートリッジと、該火薬カートリッジと前記着水検出手段とを接続する導線とを備えた浮き袋開放装置とを具備し、
前記着水検出手段が、直流電源が接続される正側電源端子及び負側電源端子を有し、第１の検知電極が負側電源端子に接続され、第２の検知電極がこれらの一対の検知電極間に液体が介在したときにこの間に流れる電流を検知する着水判別回路の第１の出力端子に接続され、着水判別回路からの点火信号を受けて動作される点火手段が前記着水判別回路の第１、第２の出力端子間に接続されており、上記正側電源端子と前記着水判別回路の第２の出力端子を結ぶバイパスライン上に、ダイオードからなるスイッチ手段が設けられ、直流電源に対して逆起電力となる極性で、かつ電圧値が直流電源電圧を超えるチェック用信号が上記一対の検知電極を介して入力されたときに前記スイッチ手段が閉じ、バイパスラインを閉成するようにしたことを特徴とする浮き袋膨張装置である。
【０００８】
本体１１２には着水時に自動的に浮き袋を膨張させる手段として、着水検出装置１２２及び火薬カートリッジが設けられている。本体１１２には着水検出装置１２２がカバー１５０を介してネジ１５１により脱着自在に取り付けられる。また、本体１１２には火薬カートリッジ室１５２が脱着自在に螺着されている。火薬カートリッジ内部には火薬１５５が充填され、点火手段として点火玉１５４が内蔵される。点火玉１５４は内部に点火ヒータが備えられた発火剤であり、点火玉１５４は導線により、着水検出装置１２２と接続されている。着水検出装置のセンサーが水に浸漬すると、着水検出装置１２２が導通し、点火ヒータに電流が流れて加熱され、点火玉１５４が着火し、続いて火薬１５５が爆発する。爆発ガスは火薬カートリッジ室１５２に設けられた通路１５６を通って台座室１５７に流入し、台座１１８を押し上げる。台座１１８が押し上げられると、台座の先端に取り付けられた撃針１１９が封鎖板１１３を突き破り、圧縮流体ボンベ１１１内の圧力流体が流体通路１２０，１２１を通って図示しない浮き袋内に導入される。
【０００９】
図２は、図１における線Ａ−Ａに沿った切断面を有する台座室１５７の拡大断面図である。図２に示すように台座１１８が台座室１５７内の所定の位置にある場合に、台座室１５７と本体１１２の外部とを連通する小孔１５８が台座室１５７を形成する側壁に設けられている。したがって、台座１１８が台座室１５７内において図１に示す所定の位置にある場合には、本体１１２の外部と台座室１５７とが連通し、台座室と流体通路１２０，１２１が連通しているので浮き袋内部と外気とが連通することになる。このため浮き袋自動膨張装置が高高度まで運ばれ、浮き袋内に残留する空気が膨張した場合であっても小孔１５８を通って外部に排出されるので、高高度において浮き袋内に残留する空気の膨張を防止するための特別な弁装置を備える必要がない。
【００１０】
図１に示すように台座１１８が台座室１５７内の位置にある場合には、台座１１８のリング部１５９の側面に係止部材１６０が当接している。係止部材１６０はスプリング１６１によって台座室１５７の中心軸に向かって押圧されている。この圧縮流体導入装置を手動又は自動で使用し、台座１１８が上昇した場合には、スプリング１６１により係止部材１６０が台座室１５７内に突出する。上昇して撃針１１９により封鎖板１１３を突き破った台座１１８は、台座１１８と台座室１５７の上面との間に設けられたスプリング１２３により、下に押戻される。しかし、台座室１５７内に係止部材１６０が突出することにより、台座１１８は係止部材１６０の位置で停止する。台座１１８が係止部材１６０の位置より上で停止することにより、前記小孔１５８が台座１１８のリング部１５９によって封鎖されることになる。したがって、圧縮流体ボンベ１１１から浮き袋に送られた流体が流体通路１２１，１２０及び台座室１５７を通って小孔１５８から外部へ漏出することがない。
【００１１】
着水検出装置１２２の導線１６３は圧縮流体導入装置だけでなく、浮き袋開放装置にも接続されている。図３に本発明の浮き袋膨張装置において使用する浮き袋開放装置１３０が示されている。浮き袋開放装置１３０は折り畳んだ浮き袋を包装保持する止め具１３１と係合する留め棒１３２と、該留め棒１３２を射出可能に装着する留め棒装着体１３３と、留め棒１３２を外方に射出するための射出台１３４とを備え、留め棒装着体１３３には火薬カートリッジ１３５を脱着自在に螺着する。火薬カートリッジ内部には火薬１３６が充填され、点火玉１３７が内蔵される。点火玉１３７は内部に点火ヒータが備えられた発火剤であり、点火玉１３７は導線１３８により、着水検出装置１２２の導線１６３と接続されている。着水検出装置１２２が着水検出し、点火ヒータに電流が流れると点火玉１３７が着火し、続いて火薬１３６が爆発し、射出台１３４を矢印方向に押出し、当接する留め棒１３２を外方に射出し、留め棒１３２が留め具１３１から外されるため、浮き袋が開放される。射出台１３４にはＯ−リング１３９が装着され爆発ガスが漏出するのを防止する。爆発ガスは止め棒装着体１３３に設けられた小孔１４０を通して外部に排出される。
【００１２】
上記浮き袋開放装置１３０は、止め棒１３２を内方に引き込む形式ではないのでＯ−リングの調整が不要であり、かつ火薬は火薬カートリッジのみを交換すればよいので、非常に経済的であり、交換も簡単である。
【００１３】
続いて着水検出装置１２２の詳細を図示した実施例に従って説明する。図４は本発明の浮き袋自動膨張装置に用いる着水検出装置の一例を示すものである。
【００１４】
図中１は着水検出装置１２２の回路を示しており、該着水検出装置１２２は着水判別回路２と、その電源端子３、３’間に接続された直流電源４、そして着水判別回路の出力端子５、５’間に接続された点火ヒータ６、さらに、導通チェック用付加回路７から構成されている。
【００１５】
（前記着水判別回路）
８、８’は電源ラインであり、その電源ライン８の一端が正側電源端子３に接続され、他端は導通チェック用付加回路７を介して出力端子５に接続されている。
【００１６】
また他方の電源ライン８’は着水検出時に導通が得られる一対の検知電極９、９’を介して負側電極端子３’と出力端子５’との間を接続している。
【００１７】
すなわち、８’ａは電源端子３’と検知電極９との間を接続しており、８’ｂは出力端子５’と検知電極９’との間を接続しているラインである。
【００１８】
尚、検知電極９’は浮き袋自動膨張装置における導電材料で形成されたカバー１５０に接続され、いわゆるフレーム・グランドとされており、検知電極９と９’（又はカバー１５０）とが水に浸されたときにこれら電極間に水を媒介として微弱電流が流れることになる。
【００１９】
１０はエミッタ接地とされたＮＰＮトランジスタであり、そのコレクタは抵抗１１を介して電源ライン８に接続されており、またそのエミッタは電源ライン８’ｂに接続されている。尚、この抵抗１１を可変抵抗にすることで、海水に限らず他の液体、例えば淡水での着水検知が可能である。
【００２０】
１２はツェナーダイオードであり、そのアノードがＮＰＮトランジスタ１０のコレクタに接続され、そのカソードが抵抗１３を介して電源ライン８に接続されている。
【００２１】
１４はＰＵＴであり、そのゲートがツェナーダイオード１２と抵抗１３との間に接続されると共に、そのアノードが電源ライン８に接続されており、ゲート−アノード間にはコンデンサ１５が介挿されている。また、ＰＵＴ１４のカソードは直列接続された抵抗１６，１７を介して電源ライン８’ｂに接続されている。
【００２２】
１８はエミッタ接地とされたＮＰＮトランジスタであり、そのベースが抵抗１６と抵抗１７との間に接続されており、そのコレクタがトランジスタ１０のベースに接続されると共に抵抗１９を介して電源ライン８に接続され、また、そのエミッタは電源ライン８’ｂに接続されている。
【００２３】
尚、このダイオード２０は、着水時において水面の変化により検知電極９、９’が水に浸されたり、浸されなかったりした場合に電解コンデンサ２１の端子電位がＰＵＴ１４及びトランジスタ１０、１８からなる着水判別回路の動作状態に影響を及ぼさないようにするために設けられており、これによって水への着水時に電解コンデンサ２１の充電動作の確実性を期することができる。
【００２４】
２２は抵抗であり、電解コンデンサ２１に並列に接続されている。
【００２５】
２３はツェナーダイオードであり、そのアノードが電源ライン８’ｂに接続されると共に、そのカソードが抵抗２４を介してダイオード２０のカソードに接続されている。
【００２６】
２５はＰＵＴであり、そのゲートがツェナーダイオード２３と抵抗２４との間に接続され、そのアノードが抵抗２４のツェナーダイオード２３と反対側の端子に接続されており、ゲート−アノード間にはコンデンサ２６が介挿されている。また、ＰＵＴ２５のカソードが出力端子５に接続されている。
【００２７】
着水時には、その検知電極９、及び９’が接続されたカバー１５０が水に触れると該検知電極９、９’間に流れる電流が抵抗１３により電圧変換され、この値がツェナーダイオード１２及びＰＵＴ１４によりツェナー電圧以上であると判断され、ＰＵＴ１４及びトランジスタ１８がオン状態、トランジスタ１０がオフ状態となり、よって電解コンデンサ２１が充電され、その端子電圧がツェナーダイオード２３のツェナー電圧以上になるとＰＵＴ２５がオン状態となり、点火ヒータ６に電流が流れる。
【００２８】
検知電極９、９’が水に浸されていないときや雨水などがかかっただけのようなときは上記とは全く逆の動作となり、点火ヒータ６に電流が流れることがない。
【００２９】
続いて着水検出装置１２２における点火手段である点火ヒータ６が断線していないかどうかの導通チェックについて説明する。点火ヒータ６に断線が生じた場合には、点火ヒータ６が加熱されないので火薬が爆発せず、着水しても自動的に浮き袋が膨張しない。したがって、定期的に着水検出装置１２２の着水検出回路の導通チェックが必要である。上記の着水検出装置１２２は、直流電源が接続される正側電源端子及び負側電源端子を有し、第１の検知電極が負側電源端子に接続され、第２の検知電極がこれらの一対の検知電極間に液体が介在したときにこの間に流れる電流を検知する着水判別回路の第１の出力端子に接続され、着水判別回路からの点火信号を受けて動作される点火手段が着水判別回路の第１、第２の出力端子間に接続された着水検出装置であり、上記正側電源端子と着水判別回路の第２の出力端子を結ぶバイパスライン上に、ダイオードからなるスイッチ手段が設けられ、直流電源に対して逆起電力となる極性で、かつ電圧値が直流電源電圧を超えるチェック用信号が上記一対の検知電極を介して入力されたときに前記スイッチ手段が閉じバイパスラインを閉成するので、点火手段である点火ヒータを装置に接続したままの状態で断線チェックを行うことができる。
【００３０】
着水検出装置１２２の導通チェックは例えば、次の導通チェック装置２９によって行うことができる。
【００３１】
導通チェック装置２９の回路構成について図５を用いて説明する。図中３０は、直流電源であり、電源ライン３１，３１’の一方３１がプラスライン、３１’がマイナスラインとされている。尚、直流電源３０の電源電圧値は着水検出回路１の直流電源４の電源電圧値より大きくされている。
【００３２】
３２は押釦スイッチであり、その一端がプラスライン３１に接続され、他端がプラスライン３１上に設けられたスイッチ３３の開閉制御を行うスイッチ制御回路３４の入力端子に接続されている。そして、押釦スイッチ３２が押圧されるとスイッチ制御回路３４によって規定される短時間の間だけスイッチ３３が閉じられるようになっており、このようなスイッチ３３及びスイッチ制御回路３４は、例えば、ワンショットマルチバイブレータＩＣを用いて構成することができる。尚、このように導通チェック装置２９を短時間だけ動作させる理由は、導通チェック時に着水検出回路１の点火ヒータ６に流れる電流が大きいと該点火ヒータ６の加熱により点火玉１５４の不意の発火を捲き起こすおそれがあり、また、直流電源４として用いられる電源の破損などの問題を回避するためである。
【００３３】
３５、３５’は一対のテスター端子であり、その一方３５は、直列接続された抵抗３６及び定電流ダイオード３７を介してスイッチ３３に接続されており、他方３５’はマイナスライン３１’に接続されている。
【００３４】
３８は作動アンプであり、２つの入力端子が抵抗３６の両端子に各別に接続されている。
【００３５】
４２はＲ−Ｓフリップフロップであり、そのセット端子がコンパレータ３９の出力端子に接続されており、また、そのリセット端子はリセットスイッチ４３を介してプラスライン３１に接続され，Ｑ出力端子が直列接続された抵抗４４、４５を介してマイナスライン３１’に接続されており、そのエミッタがマイナスライン３１’に接続されている。
【００３６】
次に導通チェック装置２９を用いた着水検出装置１２２の断線チェック時における回路動作について説明する。
【００３７】
尚、図６は断線チェック時における着水検出回路１及び導通チェック装置２９の等価回路を示すものである。すなわち、着水検出回路１の等価回路４９にあっては検知電極９’が点火ヒータ６、抵抗２８、ダイオード２７を介して直流電源４の正極に接続され、検知電極９が直流電極４の負極に接続されている。
【００３８】
尚、点火ヒータ６の抵抗値をr（Ω）とし、抵抗２８の抵抗値をＲ(Ω)とし、ダイオード２７の順方向電圧降下をＶｆ(Ｖ)とし、直流電源４の電圧値をｅ（Ｖ）とする。
【００３９】
他方、導通チェック装置２９の等価回路５０にあってはテスター端子３５がスイッチ３３を介して電流計５１を介して直流電源３０の正極に接続されており、また、テスター端子３５’は直流電源３０の負極に接続されている。尚、直流電源３０の電圧値をＥ（Ｖ）とするとＥ＞ｅである。
【００４０】
しかして、導通チェック装置２９のテスター端子３５、３５’の一方３５を着水検出回路１の検知電極９’に接続し、他方３５’を検知電極９に接続する。
【００４１】
そして押釦スイッチ３２を押圧すると短時間だけスイッチ３３が閉じられる。よって、点火ヒータ６が断線していないときには、電流が流れ、この電流値をＩとすると、
0004754736.tif 000002
【００４２】
が導通チェック装置２９より検出される。また点火ヒータ９が断線しているときにはＩ≒０である。
【００４３】
尚、前述した導通チェック装置２９の実際の回路動作としては、電流Ｉが流れることによって抵抗３６の端子に生じる電圧を作動アンプ３８が検出し、この出力値と分圧抵抗４０、４１によって規定される基準電圧値との比較がコンパレータ３９によってなされ、コンパレータ３９の出力がＲ−Ｓフリップフロップ４２によりラッチされ、トランジスタ４６のオン・オフによりＬＥＤ４８が点灯又は点滅し点火ヒータ６の断線又は導通の告知がなされる。すなわち、分圧抵抗４０，４１の抵抗値を各Ｒ４０（Ω）、Ｒ４１（Ω）とすると、抵抗３６に上記した電流Ｉが流れたときにコンパレータ３９のプラス入力電圧が
0004754736.tif 000003
【００４４】
より大きくなるように各々の抵抗値が選ばれている。
【００４５】
しかして、着水検出回路１の点火ヒータ６の断線チェック時には導通チェック装置２９の直流電源３０の正極→スイッチ３３→テスター端子３５→着水検出回路１の検知電極９’→点火ヒータ６→抵抗２８→ダイオード２７→直流電源４→検知電極９→導通チェック装置２９のテスター端子３５’→直流電源３０の負極という回路が形成され、これを流れる電流Ｉの検出により点火ヒータ６の断線の有無を簡単にチェックすることができる。
【００４６】
即ち、着水検出回路１に関しては単に導通チェック用付加回路７を設けるだけで済み、検知電極９、９’をチェック用端子として利用することができ、また導通チェック装置２９に関してスイッチ制御回路３４によるスイッチ３３の瞬間的なスイッチング制御により点火ヒータ６による点火玉１５４の不意の発火を避けることができる。
【００４７】
【発明の効果】
本発明の浮き袋自動膨張装置によれば、従来の浮き袋自動膨張装置と異なり、海水電池を使用しないので毎年毎の電池交換が不要であり、管理が容易となる。
【００４８】
また、本発明の浮き袋自動膨張装置によれば、従来の浮き袋自動膨張装置と異なり、海水中だけでなく、淡水中においても着水検出可能であり、湖や川等においても使用することができる。
【００４９】
また、本発明の浮き袋自動膨張装置で用いる着水検出装置は、断線チェック時に着水検出装置の一対の検知電極と導通チェック装置の検出端子とを各別に接続するとともに、導通チェック装置の始動スイッチを投入すると、導通チェック装置のスイッチ手段が瞬間的に閉じられ、着水検出装置の一対の検知電極にチェック用信号が送られ着水検出装置のスイッチ手段によりバイパスラインが閉成されるので、この時の点火手段に流れる電流を導通チェック装置によって検出することができるので、点火手段を取り外すことなく、しかも断線検出用回路を個別に設計したリチェック用端子を付加する必要がなく、また、部品点数の増加や回路誤動作の誘発を招くことなく安価に構成することができる。
【図面の簡単な説明】
【図１】  図１は本発明の浮き袋自動膨張装置において使用する圧縮流体導入装置の概略部分を示す部分断面図である。
【図２】  図２は、図１の線Ａ−Ａに沿う拡大断面図である。
【図３】  図３は、本発明の浮き袋自動膨張装置において使用する浮き袋開放装置の概略を示す断面図である。
【図４】  図４は、本発明の浮き袋自動膨張装置における着水検出装置の回路図である。
【図５】  図５は、図４の着水検出装置を導通チェックする導通チェック装置の回路図である。
【図６】  図６は、導通チェック時における着水検出装置及び導通チェック装置の等価回路を示す図である。
【符号の説明】
１・・・着水検出回路、２・・・着水判別回路、３・・・正側電源端子、
３’・・・負側電源端子、４・・・直流電源、５・・・第２の出力端子、
５’・・・第１の出力端子、６・・・点火ヒータ、７・・・導通チェック用付加回路、８・・・電源ライン、８’・・・電源ライン、９・・・第１の検知電極、９’・・・第２の検知電極、１０・・・トランジスタ、１１・・・抵抗、１２・・・ツェナーダイオード、１３・・・抵抗、１４・・・ＰＵＴ、１５・・・コンデンサ、１６・・・抵抗、１７・・・抵抗、１８・・・トランジスタ、１９・・・抵抗、２０・・・ダイオード、２１・・・電解コンデンサ、２２・・・抵抗、２３・・・ツェナーダイオード、２４・・・抵抗、２５・・・ＰＵＴ、２６・・・コンデンサ、２７・・・ダイオード、２８・・・抵抗、２９・・・導通チェック装置、３０・・・直流電源、３１・・・電源ライン、３１’・・・電源ライン、３２・・・押釦スイッチ、３３・・・スイッチ、３４・・・スイッチ制御回路、３５・・・テスター端子、３５’・・・テスター端子、３６・・・抵抗、３７・・・定電流ダイオード、３８・・・作動アンプ、３９・・・コンパレータ、４０・・・分圧抵抗、４１・・・分圧抵抗、４２・・・Ｒ−Ｓフリップフロップ、４３・・・リセットスイッチ、４４・・・抵抗、４５・・・抵抗、４６・・・トランジスタ、４７・・・抵抗、４８・・・ＬＥＤ、４９・・・等価回路、５０・・・等価回路、５１・・・電流計、１００・・・圧縮流体導入装置、１１１・・・圧縮流体ボンベ、１１２・・・本体、１１３・・・封鎖板、１１４・・・レバー、１１５・・・軸、１１６・・・ヒモ、１１７・・・押し棒、１１８・・・台座、１１９・・・撃針、１２０・・・流体通路、１２１・・・流体通路、１２２・・・着水検出装置、１２３・・・スプリング、１３０・・・浮き袋開放装置、１３１・・・留め具、１３２・・・留め棒、１３３・・・留め棒装着体、１３４・・・射出台、１３５・・・火薬カートリッジ、１３６・・・火薬、１３７・・・点火玉、１３８・・・導線、１３９・・・Ｏ−リング、１４０・・・小孔、１５０・・・カバー、１５１・・・ネジ、１５２・・・火薬カートリッジ室、１５４・・・点火玉、１５５・・・火薬、１５６・・・通路、１５７・・・台座、１５８・・・小孔、１５９・・・リング部、１６０・・・係止部材、１６１・・・スプリング、１６３・・・導線
【図１】
0004754736.tif 000004
【図２】
0004754736.tif 000005
【図３】
0004754736.tif 000006
【図４】
0004754736.tif 000007
【図５】
0004754736.tif 000008
【図６】
0004754736.tif 000009